(57)【特許請求の範囲】
【請求項１】
ソケットとプラグとから成る衛生用管継手であって、このソケットには、接続端に弁体を有する筒体の外周に、バネで付勢された接続端部に拡径部を有するスリーブ弁を摺動自在に設け、かつ、筒体内の流路と連通する流出口を形成し、一方、前記プラグには、前記スリーブ弁の拡径部に嵌合押圧する押圧部を有する筒状のプラグ本体内に、接続端部に弁部を有するスライド筒部材を、このスライド筒部材の外周に設けたバネを介してプラグ本体内に摺動自在に設け、かつ、スライド筒部材内の流路と連通する連通口をスライド筒部材に設け、前記プラグ本体の筒状部分には、前記バネを露出させると共に、前記ソケットとプラグとを接続させたときに前記連通口と対向するように開口部を両側から貫通させて形成したことを特徴とする衛生用管継手。
【請求項２】
前記ソケットの筒体とプラグ本体に、ソケットとプラグの接続状態を保持するロック機構を設けた請求項１記載の衛生用管継手。
【発明の詳細な説明】
【０００１】
【発明の属する技術分野】
本発明は、医療、介護用ベッドなどの特殊ベッドに設けられるものであって、例えば、排泄物回収設備や入浴設備などにおいて、ベッド側に設置される装置本体と、汚水などを処理する容器とを接続し、流路を連通する衛生用管継手に関する。
【０００２】
【従来の技術】
従来の衛生用継手としては、米国特許第5,325,890号公報に開示されているものがある。これはプラグとソケットで構成され、プラグ及びソケットは、ポート、長手方向穴とで形成される通路を有し、ポートを開閉する弁手段と、弁手段を閉方向に付勢するバネが設けられ、プラグとソケットを接続したときに、弁手段が移動してポートが開き、各通路が連通され、プラグとソケットが分離しているときは、プラグ及びソケットに設けた弁手段がバネによって付勢され、各ポートを塞いで各通路が遮蔽される。そして、上記衛生用継手は、プラグをベッド側の本体に設け、ソケットを排出物処理用の容器の側壁に貫通固定して使用する。
【０００３】
【発明が解決しようとする課題】
上述した従来の衛生用継手は、プラグとソケットを接続、分離する際及び接続、分離している間、プラグ及びソケットの各接続口から排出物などが流出することがなく衛生的である。
【０００４】
しかし、長手方向穴と交差して各ポートが一箇所づつにしか設けられていないので圧力損失が大きく、かつ、ソケットとプラグとの接続時の位置合わせが必要である。また、弁手段を付勢するバネを覆っているソケット、弁手段及びワッシャーによって、盲穴状に形成されているため、この盲穴内に排出物が侵入した場合、排出物には液体のほか、固形物やゲル状物が含まれているので、ソケットの盲穴内に詰まる虞れがある。かかる場合、詰まった排出物を除去するために、ソケットを分解する必要がありメンテナンスを容易に行えないなどの問題も有していた。
【０００５】
さらに、プラグとソケットを接続、分離する際のプラグの移動距離が長いため、プラグ周面に設けたシールリングの摩耗などの損傷が速く、長期の使用による液漏れの発生が高いほか、複数のシールリングによる摺動抵抗が大きいために着脱操作性に問題を有していた。
【０００６】
本発明は、上記問題を解決するために成されたものであり、圧力損失が少なく、かつ、ソケットとプラグとの接続時の位置合わせが不必要であり、また、メンテナンスが容易な衛生用管継手を提供することを目的とする。
【０００７】
【課題を解決するための手段】
本発明は、上記目的を達成するためになされたものであり、ソケットとプラグで接続させる衛生用管継手であって、このソケットには、接続端に弁体を有する筒体の外周に、バネで付勢された接続端部に拡径部を有するスリーブ弁を摺動自在に設け、かつ、筒体内の流路と連通する流出口を形成し、一方、前記プラグには、前記スリーブ弁の拡径部に嵌合押圧する押圧部を有する筒状のプラグ本体内に、接続端部に弁部を有するスライド筒部材を、このスライド筒部材の外周に設けたバネを介してプラグ本体内に摺動自在に設け、かつ、スライド筒部材内の流路と連通する連通口をスライド筒部材に設け、前記プラグ本体の筒状部分には、前記バネを露出させると共に、前記ソケットとプラグとを接続させたときに前記連通口と対向するように開口部を両側から貫通させて形成したものである。
【０００８】
上述のように構成したので、ソケットとプラグとが分離している間、バネによって付勢されたスリーブ弁が、筒体の流出口を塞いで、ソケットからの液体等の流出を防止し、一方、バネによって付勢されたスライド筒部材の弁部が、プラグ本体の押圧部を塞いで、プラグからの液体等の流出を防止する。
【０００９】
そして、ソケットとプラグを接続している間は、各バネの弾発力に抗して、プラグ本体の押圧部がスリーブ弁を筒体の後方に押圧し、スリーブ弁により閉ざされていた筒体の流出口を開くと共に、筒体と当接しているスライド筒部材が、プラグ本体の後方に移動してプラグ本体の流路を開くので、プラグ本体の内部に位置した筒体の流出口を経てソケットとプラグの流路が連通される。この場合、ソケットの筒体から、プラグのプラグ本体の開口部までの流路と、スライド筒部材の末端開口までの流路が連通状態となる。この時、連通口が開口部と対向するため、流体はスライド筒部材の流路と開口部の両側から容器内に流出するようにしたので圧力損失を小さくする。
【００１０】
さらに、プラグ本体に設けた開口部から、プラグ本体内及びバネを洗浄することができる。
【００１１】
また、前記ソケットの筒体とプラグ本体とにロック機構を設けた場合には、ロック機構によって、筒体の流出口をプラグ本体内に位置させた状態で、ソケットとプラグの接続を保持し、ソケットとプラグの流路を各バネの弾発力に抗して連通させることができる。
【００１２】
【発明の実施の形態】
以下、図面を用いて本発明の好ましい実施の形態について説明する。
図１乃至図４には、本発明における衛生用管継手の第一例を示しており、図１は本発明の衛生用管継手のソケットを示す断面図、図２は本発明の衛生用管継手のプラグを示す断面図、図３は前記ソケットとプラグを接続した状態を示す断面図、図４は図３におけるＡ−Ａ断面図である。また、図５、図６は、前記衛生用管継手を被取付体に固定した状態を示す概略説明図である。
【００１３】
図５、図６に示すように、本衛生用管継手を用いる被取付体は、介護用ベッドなどの特殊ベッド１２０であり、本例においては、この特殊ベッド１２０に具備された排泄物や汚水等の流体を回収処理する容器１１０にプラグ２が設けられ、この容器１１０を収納する容器収納部１００にソケット１が設けられている。なお、容器収納部１００内に容器１１０を収納することによって、ソケット１とプラグ２とが接続され、特殊ベッド１２０の排泄物等の回収部（図示せず）から容器までの流路が連通される。
【００１４】
ソケット１は、容器収納部１００の背面壁１０１に、貫通孔１０２を通して固定され、回収部からの配管ライン９の端部に接続されている。一方、プラグ２は、容器収納部１００の所定位置に容器１１０を収納した場合にソケット１と接続するように、容器１１０の正面壁１１１に嵌入、シール固定されている。
【００１５】
なお、図に示すように、容器収納部１００、容器１１０には、ソケット１とプラグ２が二組設けられ、各ソケット１に配管ライン９が接続されている。これは、排出物をエアーにより圧送したり、真空により吸引する場合であり、一方の配管ライン９を通して排出物を回収し、他方の配管ライン９から空気を排気、吸引するためである。なお、配管ライン９を一本、ソケット１とプラグ２を一組にして、排出物の自重により回収することも可能である。
【００１６】
容器収納部１００は、容器１１０の外形に対応した開口部１０３を有し、更にこの開口部１０３内に、容器１１０を所定位置に固定するためのロック部１０４を有している。このロック部１０４は、開口部１０３背面から正面に突設した弾性片１０５と、弾性片１０５の先端部に固定した断面「レ」字形状のフック片１０６とから成る。
【００１７】
一方、容器１１０は、ロック部１０４のフック片１０６に係止される段部１１２を上面に有しており、容器収納部１００の開口部１０３内所定位置において固定される。そして、容器１１０を所定位置に固定すると、ソケット１とプラグ２の流路が連通して、回収部から容器１１０までの流路が連通する。
【００１８】
図１に示すように、ソケット１は、筒体３、スリーブ弁４及びバネ５で構成される。
筒体３は、筒部３１、中間部３２、ニップル部３３及び流路３４を有しており、筒部３１の後端に中間部３２が延設され、中間部３２の後端にニップル部３３が延設され、これらの中心長手方向に沿って、流路３４が形成されている。
【００１９】
筒部３１は、接続端に弁体３６を有し、この弁体３６を含む先端部分３５を若干太めに形成し、先端部分３５に流路３４と連通する流出口３７を形成し、先端部分３５の円周方向に流出口３７を挟んでシールリング３８が設けられている。
また、中間部３２は、筒部３１よりも大径に形成され、外周表面にバネ５を当接する段部３９が突設されている。そして、ソケット１を容器収納部１００に固定する場合、中間部３２の段部３９と中間部３２の外周面に設けたストップリング１０とで容器収納部１００の背面壁１０１に固定される。
そして、ニップル部３３には配管ライン９を接続する（図５、図６参照）。
【００２０】
スリーブ弁４は、本体４１の内径を、筒体３の先端部分３５の直径と等しくなるように形成し、接続端部を拡径して拡径部４２を形成し、他端部の内周側に、太く形成された先端部分３５に係止するフック部４３を突設し、筒体３の筒部３１外周に摺動自在に装着されている。
【００２１】
バネ５は、コイルバネで、筒体３の中間部３２とスリーブ弁４の本体４１に各端部を嵌合し、中間部３２の段部３９とスリーブ弁４の拡径部４２に各端面を当接し、スリーブ弁４を筒体３の先端方向に付勢している。
【００２２】
図２に示すように、プラグ２は、筒状プラグ本体６と、スライド筒部材７と、バネ８とから成る。
プラグ本体６は、筒体３の筒部３１外径より大きい内径を有し、先端を縮径している略筒状胴部６１と、スリーブ弁４の拡径部４２と嵌合できると共に、筒体３の先端部分３５を挿入できるように、胴部６１の先端に形成された略筒状の押圧部６２とから成り、胴部６１の筒状部分に、内蔵したバネ８を露出させる開口部６３を両側から貫通させて形成し、胴部６１先端付近の周面に段部６４を形成し、胴部６１末端のスライド筒部材７の挿入口内面にバネ８の一端を当接する保持部６５を設け、更に段部６４から、開口部６３までの周面に雄ネジ６６を設けている。そして、プラグ２を容器１１０に固定する場合、胴部６１の段部６４と胴部６１の雄ネジ６６に螺合するナット１１とで容器１１０の正面壁１１１に、シールリング６７を介在させて固定させる。なお、図示しないが、押圧部６２の外周面に円周溝を形成しシールリングを設けても良い。
【００２３】
スライド筒部材７は、接続端部に、プラグ本体６の押圧部６２の流路７７を開閉する弁部７１を形成し、この弁部７１の外周面にシールリング７４を設け、また弁部７１に隣接させて流路７７ａから外部に連通する連通口７５を係止部７２を構成するように形成し、胴部７３先端外周に、プラグ本体６の内周面を摺動するフランジ部７６を形成し、押圧部６２の軸心に沿って移動可能にプラグ本体６内に設けられている。なお、係止部７２は円錐台形状に形成され、分離時は、バネ８で付勢されて、プラグ本体胴部６１の縮径した先端に当接している。
【００２４】
バネ８は、コイルバネで、プラグ本体６の内側、スライド筒部材７の外周に沿って装着され、プラグ本体６の末端に設けた保持部６５とスライド筒部材７のフランジ部７６とに各端面を当接させて、スライド筒部材７を接続端側に付勢している。このフランジ部７６は、スライド筒部材７が後退した時に、プラグ本体６に形成した開口部６３とスライド筒部材７内の流路７７ａとの両方に流体を流通する役割を有している。また、プラグ本体６内とバネ８とに流体が直接流入するのを防止している。さらに、フランジ部７６を軸心に向かってテーパに形成することによって、より流体の流れがスムーズになる。
【００２５】
なお、図３、図４に示すように、ソケット１とプラグ２を接続している間、スライド筒部材７の弁部７１に隣接して形成した連通口７５とプラグ本体６の胴部６１の開口部６３とが上下に連通するように、連通口７５と開口部６３を形成している。
また、筒体３、スリーブ弁４、プラグ本体６、スライド筒部材７は、ポリアセタールなどの樹脂で形成されているが、これに限定されるものではない。
【００２６】
上述した衛生用管継手の作動を説明する。
図１、図２に示すように、ソケット１とプラグ２とが分離している間、ソケット１では、バネ５によって筒体３の先端側に付勢されたスリーブ弁４のフック部４３が筒体３の先端部分３５に引掛かり、筒部３１の流出口３７を塞ぐ位置で停止し、流路３４が確実に閉塞される。一方、プラグ２では、バネ８によって付勢されたスライド筒部材７の係止部７２が、プラグ本体６の胴部６１先端に当接すると共に、スライド筒部材７の弁部７１が押圧部６２を塞いで、流路７７が確実に閉塞される。
【００２７】
次に、容器収納部１００内に容器１１０を挿入していくと、スリーブ弁４の拡径部４２と、プラグ本体６の押圧部６２とが嵌合すると共に、筒体３の弁体３６と、スライド筒部材７の弁部７１とが当接する。
更に容器１１０を挿入していくと、プラグ本体６の押圧部６２が、バネ５の弾発力に抗してスリーブ弁４を押圧し、プラグ本体６内に筒体３の先端部分３５が侵入する。一方、筒体３の弁体３６と当接している弁部７１を有するスライド筒部材７が、バネ８の弾発力に抗して、プラグ本体６の後方（容器１１０側）に移動する。
【００２８】
そして、容器収納部１００の所定位置に容器１１０を収納すると、図６に示すように、容器収納部１００のフック片１０６が容器１１０上面の段部１１２を係止して容器１１０が固定されると共に、図３に示すように、筒部３１の流出口３７が、プラグ本体６の内部に位置して、筒体３の流路３４とプラグ本体６の流路７７とが流出口３７を経て開口部６３に連通すると共に、スライド筒部材７の連通口７５を経て胴部７３の流路７７ａの流路に連通する。この結果、配管ライン９から容器１１０内まで流路が連通し、排泄物などの流体が回収可能な状態となる。
【００２９】
そして、例えば、容器１１０内の排出物が一杯になったり、容器１１０を傾けたことによって、プラグ本体６などが容器１１０内の排出物に浸かり、排出物がプラグ本体６内に詰まったり、バネ８に付着した場合でも、排出物を処分した後、プラグ本体６に開口部６３を設けているので、内部及びバネ８を容易に洗浄することができる。
【００３０】
次に、上述した衛生用管継手にロック機構９０を設けた例を図７乃至図１３を用いて説明する。なお、上述した衛生用管継手と同一部分の説明は省略すると共に、同一部分には同一符号を用いる。
【００３１】
ロック機構９０は、第一係合部９１と第二係合部９２とから成り、筒体３及びプラグ本体６にそれぞれ設けられ、ソケット１とプラグ２が接続したときに第一係合部９１と第二係合部９２とが係止して、ソケット１とプラグ２を分離しにくくする。そして、ロック機構９０を設けた場合に、第一係合部９１とソケット１のスリーブ弁４とが干渉しないように、スリーブ弁４の拡径部４２から後方に向かってガイド部４９が延設されている。このガイド部４９によって埃が入るのを阻止する効果も兼ねている。なお、ガイド部４９を省略しても良い。
【００３２】
図７乃至図９に示すロック機構９０の第一係合部９１は、筒状で、先端部分外周面に係合凹部９３を有し、筒体３の中間部３２に突設した段部３９から先端方向に一体的に延設されている。また、第二係合部９２は、プラグ本体６の段部６４に一体的に延設されている。この第二係合部９２は少なくとも３か所に設けてある。なお、図１に示すように筒体３の先端部分３５にスリーブ弁４のフック部４３を係止させるのではなく、図１０に示すように、第一係合部９１とスリーブ弁４に設けたガイド部４９とを係止させるようにしても良い。
【００３３】
図１１乃至図１３に示すロック機構９０の第一係合部９１は、筒状で、筒体３の中間部３２に突設した段部３９から先端方向に一体に延設され、先端部に拡径したフック状端部９４が形成されている。そして、第二係合部９２は、プラグ本体６の段部６４外周面の後端側に、溝状に形成されている。
【００３４】
上述したように、ソケット１、プラグ２にロック機構９０を設けることによって、ソケット１、プラグ２に設けたバネ５，８の弾発力に抗して、ソケット１とプラグ２の接続状態を保持することができる。
【００３５】
【発明の効果】
以上、詳細に説明した本発明は、プラグ本体の胴部に両側に貫通する開口部を設けたので、内側のバネなどの洗浄が容易で排出物の目詰まりによる作動不良を無くすことができると共に、両側の開口部から排出物を流出することができるので圧力損失が少ない。さらに、ソケットとプラグを接続するときに、流路の位置合わせの必要がないので、接続がスムーズであると共に、被取付体（例えば、介護用ベッドなど）への取付けが容易である。
【００３６】
また、流路を連通させる際の筒体とスライド筒部材の移動距離を短くしたので、摩耗などの損傷が減り耐久性が向上し、長期使用に伴う液漏れなどの発生を防止することができる。
【００３７】
さらに、衛生用管継手の一部にロック機構を設けたので、本発明における衛生用管継手を取り付ける被取付体に、衛生用管継手を接続するためのロック機構を設ける必要が無いので、安価に量産することができるなどの効果を有する。
【図面の簡単な説明】
【図１】本発明における衛生用管継手のソケットを示す正面断面図である。
【図２】本発明における衛生用管継手のプラグを示す正面断面図である。
【図３】図１、図２に示すソケットとプラグの接続状態を示す正面断面図である。
【図４】図３のＡ−Ａ線断面図である。
【図５】上記衛生用管継手の使用状態を示す概略斜視図である。
【図６】上記衛生用管継手の使用状態を示す概略一部断面正面図である。
【図７】本発明における他の衛生用管継手のソケットを示す正面断面図である。
【図８】本発明における他の衛生用管継手のプラグを示す正面断面図である。
【図９】図７、図８に示すソケットとプラグの接続状態を示す正面断面図である。
【図１０】本発明における他の衛生用管継手のソケットを示す正面断面図である。
【図１１】本発明における他の衛生用管継手のソケットを示す正面断面図である。
【図１２】本発明における他の衛生用管継手のプラグを示す正面断面図である。
【図１３】図１１、図１２に示すソケットとプラグの接続状態を示す正面断面図である。
【符号の説明】
１  ソケット
２  プラグ
３  筒体
４  スリーブ弁
５  バネ
６  プラグ本体
７  スライド筒部材
８  バネ
９  配管ライン
３４  流路
３６  弁体
３７  流出口
４２  拡径部
６２  押圧部
６３  開口部
７１  弁部
７５  連通口
７７  流路
７７ａ  流路
９０  ロック機構
【図１】
0003869053.tif 000002
【図２】
0003869053.tif 000003
【図３】
0003869053.tif 000004
【図４】
0003869053.tif 000005
【図５】
0003869053.tif 000006
【図６】
0003869053.tif 000007
【図７】
0003869053.tif 000008
【図８】
0003869053.tif 000009
【図９】
0003869053.tif 000010
【図１０】
0003869053.tif 000011
【図１１】
0003869053.tif 000012
【図１２】
0003869053.tif 000013
【図１３】
0003869053.tif 000014